(57)【要約】      （修正有）【課題】構造が簡単であると共に、ワンタッチで横書きを縦書きに、又は縦書きを横書きに変換が可能で、使い勝手が良好なゴム印を提供する。【解決手段】横断面形状を円形とし、頂部に印字する文字又は数字を表示し、底部には当該の印字する文字又は数字を刻設するかあるいは印字体を貼着すると共に、外周面の一部にギヤ１ｅ〜１９ｅを形成してなる複数の同径、同寸法の印字棒１〜１９と、前記印字棒を水平に９０°回転させる手段を設けたスライド板２０と、前記印字棒とスライド板を作動可能に収納する箱形ケース３０と、からなることを特徴とする。【選択図】図１
0003126154.tif 000002
【実用新案登録請求の範囲】
【請求項１】
横断面形状を円形とし、頂部に印字する文字又は数字を表示し、底部には当該の印字する文字又は数字を刻設するかあるいは印字体を貼着すると共に、外周面の一部にギヤを形成してなる複数の同径、同寸法の印字棒と、
前記印字棒を水平に９０°回転させる手段を設けたスライド板と、
前記印字棒とスライド板を作動可能に収納する箱形ケースと、
からなることを特徴とする、文字又は数字を縦横変換可能なゴム印。
【請求項２】
前記印字棒の外周面に形成されるギヤが、当該印字棒外周面の四分の一に形成されていることを特徴とする、請求項１に記載の文字又は数字を縦横変換可能なゴム印。
【請求項３】
前記複数の印字棒は、同一中心線上に配列されていることを特徴とする、請求項１〜請求項２の何れかに記載の文字又は数字を縦横変換可能なゴム印。
【請求項４】
前記スライド板による印字棒を水平に９０°回転させる手段が、当該印字棒のギヤに噛合する、スライド板の内接面又は外接面に形成されたラックであることを特徴とする、請求項１〜請求項３の何れかに記載の文字又は数字を縦横変換可能なゴム印。
【請求項５】
前記スライド板の両側にはスライド板を摺動するための操作レバーが一体的に延設されていることを特徴とする、請求項１〜請求項４の何れかに記載の文字又は数字を縦横変換可能なゴム印。
【請求項６】
前記箱形ケースは、上面板、下面板、正面板、背面板、左側板及び右側板からなり、正面板及び背面板には把持部が形成されていることを特徴とする、請求項１〜請求項５の何れかに記載の文字又は数字を縦横変換可能なゴム印。
【請求項７】
前記箱形ケースの左側板及び右側板には、少なくともスライド板の操作レバーの外径より大径の摺動口が形成されていることを特徴とする、請求項１〜請求項６の何れかに記載の文字又は数字を縦横変換可能なゴム印。
【請求項８】
前記箱形ケースの上面板には前記印字棒の外周径より大、ギヤ径より小の貫通孔が穿設され、下面板には前記印字棒の外周径より大の貫通孔が穿設され、当該印字棒は上面板と下面板を介して垂直に立設されていることを特徴とする、請求項１〜請求項７の何れかに記載の文字又は数字を縦横変換可能なゴム印。
【請求項９】
前記印字棒、スライド板及び箱形ケースを構成する素材が、硬質合成樹脂材、木材又は金属のうちの１種、又はその中の複数種の組み合わせからなることを特徴とする、請求項１〜請求項８の何れかに記載の文字又は数字を縦横変換可能なゴム印。
【考案の詳細な説明】
【技術分野】
【０００１】
本考案は、文字又は数字を縦横変換可能なゴム印に係り、より詳しくは、箱形ケースに収納された同一中心線上に配列された複数の文字又は数字からなるゴム印を、ワンタッチで横書きを縦書きに、又は縦書きを横書きに変換自在とした文字又は数字を縦横変換可能なゴム印に関する。
【背景技術】
【０００２】
従来から、社名、個人名又は住所等のゴム印は、木製又は合成樹脂製の台状ないしＴ字状とした把持部を形成した支持部に、ゴム又は軟質合成樹脂製の印字面を貼付した構成とされ、予め縦書き用又は横書き用としてそれぞれ個々に製作され、購入されたゴム印はゴム印専用ケース等に保管されている。使用に際しては、押印する封書又は書類等により、縦書き又は横書き何れかのゴム印を専用ケース内から選択しなければならないなど、手間がかかると共に、煩瑣な作業となっている。
【０００３】
縦書きや横書き等で別の印面を持ったゴム印を一体のものとして構成され、使う際に簡単に選択することができる「ゴム印」として、特開平７−８１２００（特許文献１）が開示されている。これは、それぞれ支持部を有し、かつ印面の種類を異にした一対のゴム印を、両面に収納部を形成したキャップに印面をはめ込んで取り付けることを特徴とし、縦書き用及び横書き用の印面を有し、それぞれ支持部、収納部を有するキャップ、支持本体、筒状ガイド、バネ、インク収蔵体及び栓等を主な構成部材としている。
【特許文献１】特開平−７−８１２００号公報
【考案の開示】
【考案が解決しようとする課題】
【０００４】
しかしながら、特許文献１には、以下のような問題点がある。即ち、特許文献１は、上記のように部材の点数は多数を要し、またインク収蔵体内にインクを貯留するため、栓にはインクの漏出を防止するパッキン等が必要となるなど構造がより複雑となっているために、製作工程が増してコスト高になり、市場性に劣っている。またそれぞれの支持部は、三角形状とされ、押印時に必要な把持部が形成されていないために、その使用に際しても極めて使い勝手が悪いという欠点もある。
【０００５】
本考案は、上記従来技術が有する各種の問題点に鑑み、鋭意検討を重ねて完成したものであり、本考案が解決しようとする課題は、構造が簡単であると共に、ワンタッチで横書きを縦書きに、又は縦書きを横書きに変換が可能で、使い勝手が良好なゴム印を提供することにある。
【課題を解決するための手段】
【０００６】
上記の課題を解決するための第１の考案は、請求項１に記載する考案であり、横断面形状を円形とし、頂部に印字する文字又は数字を表示し、底部には当該の印字する文字又は数字を刻設するかあるいは印字体を貼着すると共に、外周面の一部にギヤを形成してなる複数の同径、同寸法の印字棒と、前記印字棒を水平に９０°回転させる手段を設けたスライド板と、前記印字棒とスライド板を作動可能に収納する箱形ケースと、からなることを特徴としている。
【０００７】
上記の課題を解決するための第２の考案は、請求項２に記載する考案であって、前記印字棒の外周面に形成されるギヤが、当該印字棒外周面の四分の一に形成されていることを特徴としている。
【０００８】
上記の課題を解決するための第３の考案は、請求項１〜請求項２の何れかに記載する考案にあって、前記複数の印字棒は、同一中心線上に配列されていることを特徴としている。
【０００９】
上記の課題を解決するための第４の考案は、請求項１〜請求項３の何れかに記載の考案にあって、前記スライド板による印字棒を水平に９０°回転させる手段が、当該印字棒のギヤに噛合する、スライド板の内接面又は外接面に形成されたラックであることを特徴としている。
【００１０】
上記の課題を解決するための第５の考案は、請求項１〜請求項４の何れかに記載の考案にあって、前記スライド板の両側にはスライド板を摺動するための操作レバーが一体的に延設されていることを特徴としている。
【００１１】
上記の課題を解決するための第６の考案は、請求項１〜請求項５の何れかに記載の考案にあって、前記箱形ケースは、上面板、下面板、正面板、背面板、左側板及び右側板からなり、正面板及び背面板には把持部が形成されていることを特徴としている。
【００１２】
上記の課題を解決するための第７の考案は、請求項１〜請求項６の何れかに記載の考案にあって、前記箱形ケースの左側板及び右側板には、少なくともスライド板の操作レバーの外径より大径の摺動口が形成されていることを特徴としている。
【００１３】
上記の課題を解決するための第８の考案は、請求項１〜請求項７の何れかに記載の考案にあって、前記箱形ケースの上面板には前記印字棒の外周径より大、ギヤ外径より小とした貫通孔が穿設され、下面板には前記印字棒の外周径より大の貫通孔が穿設され、当該印字棒は上面板と下面板を介して垂直に立設されていることを特徴としている。
【００１４】
上記の課題を解決するための第９の考案は、請求項１〜請求項８の何れかに記載の考案にあって、前記印字棒、スライド板及び箱形ケースを構成する素材が、硬質合成樹脂材、木材又は金属のうちの１種、又はその中の複数種の組み合わせからなることを特徴としている。
【考案の効果】
【００１５】
本考案に係る、文字又は数字を縦横変換可能なゴム印は、第１の考案によれば、横断面形状を円形とし、頂部に印字する文字又は数字を表示してなる印字棒と、当該印字棒を水平に９０°回転させる手段を設けたスライド板と、印字棒とスライド板を作動可能に収納する箱形ケースを主な部材とする、部品点数が少ないシンプルな構造であり、ワンタッチで横書き又は縦書きの各種の文字又は数字を、縦書き又は横書きに変換が可能な、使い勝手が良好なゴム印の提供という、本考案の課題を解決することができる。
【００１６】
第２〜第５の考案によれば、印字棒の外周面に形成されるギヤが、印字棒外周面の四分の一に形成され、また複数の印字棒は、同一中心線上に配列され、スライド板による印字棒を水平に９０°回転させる手段が、当該印字棒のギヤに噛合する、スライド板の内接面又は外接面に形成されたラックであり、スライド板の両側にはスライド板を摺動するための操作レバーが一体的に延設されているので、当該操作レバーを把持しスライド板を左右に摺動するだけで、印字棒底部の文字又は数字を瞬時に横書きを縦書きに、又は縦書きを横書きに変換が可能である。
【００１７】
第６の考案によれば、箱形ケースは、上面板、下面板、正面板、背面板、左側板及び右側板からなり、正面板及び背面板には把持部が形成されているので、箱形ケースを構成する、上面板、下面板等の各部品は、予め大量生産することが可能であるために、製造コストを安価とすることができる。またゴム印の押印時は正面板及び背面板の把持部を把持して使用するので、使い勝手が良好で、かつ的確な押印作業ができる。
【００１８】
第７の考案によれば、箱形ケースの左側板及び右側板には、少なくともスライド板の操作レバーの外径より大径の摺動口が形成されているので、スライド板は各印字棒と共に箱形ケース内に安定して保持され、かつ文字または数字の縦横変換作業が円滑に行われる。
【００１９】
第８の考案によれば、箱形ケースの上面板には印字棒の外周径より大、ギヤ外径より小の貫通孔が穿設され、下面板には前記印字棒の外周径より大の貫通孔が穿設され、当該印字棒は上面板と下面板を介して垂直に立設されているているので、箱形ケースへの各印字棒の組み立て作業が容易であると共に、的確な押印ができる。
【００２０】
第９の考案によれば、印字棒、スライド板及び箱形ケースを構成する素材が、硬質合成樹脂、木材又は金属ののうちの１種、又はその中の複数種の組み合わせからなるので、各部材に適合する素材を選択でき、製造コスト低減に有効である。
【考案を実施するための最良の形態】
【００２１】
以下、本考案に係る、文字又は数字を縦横変換可能なゴム印に関する最良の実施形態について、図面を参照しながら説明する。図１は、本考案の文字又は数字を縦横変換可能なゴム印（以下、ゴム印Ｓという）を構成する部材を分離して示す分解斜視図、図２は、構成部材を組み立てた状態における上面板の一部切欠平面図、図３は、図２における３−３線断面図、図４は、図２における横書き文字及び数字を縦書きに変換した状態における上面板の一部切欠平面図、図５（イ）、（ロ）は、横書き文字を縦書き文字に変換時の説明図である。
【００２２】
本考案に係るゴム印Ｓは、複数本の印字棒１、２、３、…、スライド板２０、箱形ケース３０を主な構成部材としている。印字棒１、２、３、…、は、図１及び図２に示すように横断面形状を円形とし、各頂部１ａ、２ａ、３ａ、…には印字する文字又は数字１ｂ、２ｂ、３ｂ、…が表示されている。また底部１ｃ、２ｃ、３ｃ、…には当該の印字する文字又は数字（不図示）を刻設するかあるいは軟質合成樹脂又はゴム製からなる印字体１ｄ、２ｄ、３ｄ、…が貼着されている。印字体１ｄ、２ｄ、３ｄ、…に刻設されている印字は、各頂部１ａ、２ａ、３ａ、…に印字する文字又は数字１ｂ、２ｂ、３ｂ、…に相当する逆彫り文字等であるのは自明である。印字棒１、２、３、…、の上方外周面の四分の一にはギヤ１ｅ、２ｅ、３ｅ、…が形成されている（図５（イ）、（ロ）参照）。図２のＣ−Ｃ線で示すように、長手方向に配列される複数の印字棒１、４、７、１０、１３、１６、印字棒２、５、８、１１、１４、１７及び印字棒３、６、９、１２、１５、１８、１９は、同一中心線上に配列されている。また各印字棒１、２、３、…、の下方にはストッパー用の各鍔部１ｆ、２ｆ、３ｆ、…が形成されている。
【００２３】
スライド板２０には、矩形状の開口部２１、２２が形成され、それぞれの内接面２１ａ、２２ａの長手方向にはラック２１ｂ、２２ｂが刻設されると共に、外接面２３ａの長手方向にもラック２３ｂが刻設されている。またスライド板２０の両側中央には、スライド板２０を左右にスライドさせるための左操作レバー２４及び右操作レバー２５が一体的に延設されている。なお、図２及び図４に示すように、印字棒４の仮名文字（長音）「ー」は縦横同じ書体で、変換の必要がないために、印字棒４にはギヤは形成されないで、インキを印字体４ｄに付着するときの上方への浮上を防止するための、ストッパー４ｅが形成されている。
【００２４】
箱形ケース３０は、上面板３１、下面板３２、正面板３３、背面板３４、左側板３５及び右側板３６からなり、上面板３１及び下面板３２には印字棒１〜１９に対応する貫通孔３１ａ、３１ｂ、３１ｃ、〜３１ｒ及び３２ａ、３２ｂ、３２ｃ、〜３２ｒが穿設され、各貫通孔はいずれも各印字棒１〜１９の外周径より大径とされ、印字棒１〜１９は上面板３１と下面板３２を介して垂直に立設されている。正面板３３及び背面板３４の中央表面長手方向には円弧状凹部とした把持部３３ａ、３４ａが形成されている。左側板３５及び右側板３６の上方中央には、スライド板２０の操作レバー２４及び２５を作動可能に保持する摺動口３５ａ及び３６ａが設けられている。
【００２５】
図２及び図３は、印字棒１〜１９を横書き状態に組み込んだ状態で、スライド板２０の左側端部２０ａは、左側板３５の内面部３５bに当接しているので、印字棒１〜１９の各印字体１ｄ、２ｄ、３ｄ、…は横書き状態を安定して保持している。このとき、印字棒１、７、１０、１３、１６のギヤ１ｅ、７ｅ、１０ｅ、１３ｅ、１６ｅは、スライド板２０の開口部２１の内接面２１ａに刻設されたラック２１ｂにそれぞれ噛合し、印字棒２、５、８、１１、１４、１７のギヤ２ｅ、５ｅ、８ｅ、１１ｅ、１４ｅ、１７ｅは、スライド板２０の開口部２２の内接面２２ａに刻設されたラック２２ｂにそれぞれ噛合し、印字棒３、６、９、１２、１５、１８、１９のギヤ３ｅ、６ｅ、９ｅ、１２ｅ、１５ｅ、１８ｅ、１９ｅは、スライド板２０の開口部２２の外接面２３ａに刻設されたラック２３ｂにそれぞれ噛合している。
【００２６】
本考案のゴム印Ｓは、以下の手順で組み立てられる。まず上面板３１を除いた箱形ケース３０を組み立てるために、下面板３２に正面板３３と背面板３４を固定した後、左側板３５の摺動口３５ａにスライド板２０の左操作レバー２４を挿通し、左側板３５の内面部３５bに左操作レバー２４の左側端部２０ａを当接させて下面板３２に立設、固定する。次に右側板３６の摺動口３６ａにスライド板２０の右操作レバー２５を挿通し、右側板３６の内面部３６bと右操作レバー２５の右側端部２０ｂ間のスライド空間Ｄを設けて、下面板３２に立設、固定する（図２及び図３参照）。
【００２７】
続いて、図２及び図３に示すように、各印字棒１〜１９のギヤ１ｅ〜１９ｅが、ラック２１ｂ、２２ｂ、２３ｂに的確に噛合するように、対応する下面板３２の貫通孔３２ａ〜３２ｒに挿通させると、各印字棒１〜１９の下部に設けた鍔部１ｆ〜１９ｆが下面板３２の上面に当接し、各印字体１ｄ〜１９ｄは下面板３２の底部から突出して保持される。立設された各印字棒１〜１９の文字１ｂ〜１９ｂの配列を確認した後、上面板３１の貫通孔３１ａ〜３１ｒを各印字棒１〜１９に順次、挿通した後、左側板３５、右側板３６、正面板３３及び背面板３４に固定する。なお各部材を固定する手段としては、使用する素材により、例えば、釘、ボルト、接着剤等（不図示）から適宜選択して固定される。
【００２８】
本考案に係るゴム印Ｓの変換動作について説明する。図２及び図３は、図面上、明らかなように、押印する印字文字は横書きの状態で保持されている。これを図４に示す縦書き用ゴム印Ｓに変換するのには、スライド板２０の左操作レバー２４を指先（不図示）等で右側板３６方向に押圧Ｐすれば、スライド板２０は右側にスライドし、それに伴ってラック２１ｂ、２２ｂ、２３ｂと噛合している各印字棒１〜１９のギヤ１ｅ〜１９ｅは、同時に９０°左回転する。右操作レバー２５の右側端部２０ｂは、右側板３６の内面部３６bに当接して停止し、各印字体１ｄ〜１９ｄは、縦書き用ゴム印Ｓに変換される。
【００２９】
ゴム印Ｓの横書き状態から縦書き状態への変換を、図５の（イ）、（ロ）でさらに詳述する。図５の（イ）は、印字棒１の印字文字１ｂが横書きの状態で、このときスライド板２０の左側端部２０ａは、左側板３５の内面部３５に当接して保持される。印字棒１の外周面右上方の四分の一に形成されたギヤ１ｅは、スライド板２０の内接面２１ａに刻設されたラック２１ｂと噛合している。これを縦書き状態へ変換するには、上述のように、スライド板２０を押圧Ｐによって右側板３６方向にスライドさせると、図５（ロ）に示すように、スライド板２０の左側端部２０ａは、左側板３５の内面部３５から離反すると同時に、ラック２１ｂと噛合しているギヤ１ｅは、ラック２１ｂの右側板３６方向への移動長さＫと同じ長さＫだけ矢印方向に９０°回転し、印字棒１の印字文字１ｂは縦書き状態に変換される。
【００３０】
縦書き状態から横書きに変換するには、横書き状態から縦書き変換と逆の手順で行われる。即ち、スライド板２０の右操作レバー２５を指先等で左側板３５方向に押圧Ｒすれば、スライド板２０は左側にスライドし、それに伴ってラック２１ｂ、２２ｂ、２３ｂと噛合している各印字棒１〜１９のギヤ１ｅ〜１９ｅは、同時に９０°右回転する。左操作レバー２４の左側端部２０ａは、左側板３５の内面部３５bに当接して停止し、各印字体１ｄ〜１９ｄは、横書き用ゴム印Ｓに変換される。
【図面の簡単な説明】
【００３１】
【図１】は、本考案に係るゴム印Ｓを構成する部材を分離して示す分解斜視図である。
【図２】は、構成部材を組み立てた状態における上面板の一部切欠平面図である。
【図３】は、図２における３−３線断面図である。
【図４】は、図２における横書き文字及び数字を縦書きに変換した状態における上面板の一部切欠平面図である。
【図５】（イ）、（ロ）は、横書き文字を縦書き文字に変換時の説明図である。
【符号の説明】
【００３２】
Ｓ                        ゴム印
１〜１９                  印字棒
２０                      スライド板
３０                      箱形ケース
１ｅ〜１９ｅ              ギヤ
２１ａ、２２ｂ            内接面
２３ｂ                    外接面
２１ｂ、２２ｂ、２３ｂ    ラック
２４                      左操作レバー
２５                      右操作レバー
３１                      上面板
３２                      下面板
３３                      正面板
３４                      背面板
３５                      左側板
３６                      右側板
３３ａ、３４ａ            把持部
３５ａ、３６ａ            摺動口
３１ａ〜３１ｒ            貫通孔
３２ａ〜３２ｒ            貫通孔
【図１】
0003126154.tif 000003
【図２】
0003126154.tif 000004
【図３】
0003126154.tif 000005
【図４】
0003126154.tif 000006
【図５】
0003126154.tif 000007
【手続補正書】
【提出日】平成18年7月5日(2006.7.5)
【手続補正１】
【補正対象書類名】図面
【補正対象項目名】図２
【補正方法】変更
【補正の内容】
【図２】
0003126154.tif 000008
【手続補正２】
【補正対象書類名】図面
【補正対象項目名】図４
【補正方法】変更
【補正の内容】
【図４】
0003126154.tif 000009